(57)【特許請求の範囲】
【請求項１】
少なくとも１つの表示面（３）を有する情報表示装置支持体であって、
前記表示面を有し実質的に剛性で折り畳み可能な材料からなる少なくとも１枚のシート（２）と、
前記シートの表示面を凸にするための弾性手段（４４）と、
前記弾性手段に対抗して前記シートの表示面の凸状態を維持し、前記シートの表示面に沿って離散して分配された状態で力を加える複数の支持挿入体（１８〜２０）と、を含み、
前記支持挿入体（１８〜２０）の長さが、凸状態の前記シート（２）の２つの側縁（８、９）の間の距離に等しく、前記シートが、前記支持挿入体（１８〜２０）の長さ方向の一側、他側の端部をそれぞれ受け取るための一側の２面角の組、他側の２面角の組を形成する一側の側方タブ（１２、１３、１４）の組、他側の側方タブ（１５、１６、１７）の組によって、前記表示面を超えて延出されており、
前記弾性手段（４４）が、支持挿入体（１８〜２０）及び側方タブ（１２〜１７）と相互作用し、水平方向の制約力に加えて、互いに反対方向の垂直方向の力（４９、５０）を作用させることで、前記表示面が凸状態のときに前記支持挿入体（１８〜２０）を正確な高さに維持するように構成されており、
前記複数の支持挿入体の各支持挿入体（１８〜２０）に関連する前記弾性手段（４４）が、それ自体閉じられた少なくとも１つの弾性接続手段を含み、当該弾性接続手段は、前記シート（２）の側方タブ（１２〜１７）の１つと前記各支持挿入体の末端固定／停止部分（３１、３２）と相互作用することで、前記シートの側縁（８、９）に平行な２つの底辺部分（４５、４６）と、側縁においてそれぞれ反対方向に傾斜し、この傾斜部分に加えられる力を分解したときに関連する支持挿入体に対してそれぞれ反対方向（４９、５０）の２つの垂直方向の力を作用させる２つの部分（４７、４８）と、を有する台形の形状をとる、情報表示装置支持体。
【請求項２】
前記弾性接続手段（４４）が、前記支持挿入体の末端固定／停止部分（３１、３２）にある２つのほぼ直線の傾斜した切り込み（３３、３４）で受け取られ、この切り込みが、側方タブ（１２〜１７）と前記支持挿入体の末端固定／停止部分（３１、３２）との相対的な位置合わせを行うように作用し、前記弾性接続手段（４４）のフックとして作用する、請求項１記載の情報表示装置支持体。
【請求項３】
前記支持挿入体（１８〜２０）の末端固定／停止部分（３１、３２）が、前記シートの側縁（８、９）に平行な縁（２９、３０）を有し、この縁からは、前記側方タブ（１２〜１７）と前記支持挿入体（１８〜２０）の末端固定／停止部分（３１、３２）との引っかかりを防ぐ湾曲状の切り欠き（３９）が形成される、請求項２記載の情報表示装置支持体。
【請求項４】
前記末端固定／停止部分３１、３２の幅は、前記支持挿入体の中央部分の幅よりも狭く、
前記支持挿入体（１８〜２０）の直線の傾斜した切り込み（３３、３４）がそれぞれ、前記シートの側縁（８、９）に垂直の前記中央部分の縁（３５）と前記末端固定／停止部分３１、３２の縁（３６）をつなげている、請求項３記載の情報表示装置支持体。
【請求項５】
少なくとも１つの表示面を有する情報表示装置支持体であって、
前記表示面を有し実質的に剛性で折り畳み可能な材料からなる少なくとも１枚のシート（３０２）と、
前記シートの表示面を凸にするための弾性手段（３４４）と、
前記弾性手段に対抗して前記シートの表示面の凸状態を維持し、前記シートの表示面に沿って離散して分配された状態で力を加える複数の支持挿入体（３１８）と、を含み、
前記支持挿入体（３１８）の長さが、凸状態の前記シート（３０２）の２つの側縁の間の距離に等しく、前記シートが、前記支持挿入体（３１８）の長さ方向の一側、他側の端部をそれぞれ受け取るための一側の２面角の組、他側の２面角の組を形成する一側の側方タブ（３１２）の組、他側の側方タブの組によって、前記表示面を超えて延出されており、
前記弾性手段（３４４）が、支持挿入体（３１８）及び側方タブ（３１２）と相互作用し、水平方向の制約力に加えて、互いに反対方向の垂直方向の力（３４９、３５０）を作用させることで、前記表示面が凸状態のときに前記支持挿入体（３１８）を正確な高さに維持するように構成されており、
第１の層の形態で延出する前記支持挿入体（３１８）と第２の層の形態で延出する前記シート（３０２）の側方タブ（３１２）と共に、前記弾性手段（３４４）が、前記支持挿入体（３１８）と側方タブ（３１２）の２つの層の間に介在する第３の層の形態で伸び、
前記複数の支持挿入体の各支持挿入体（３１８）に関連する前記弾性手段（３４４）が、それ自体閉じられた少なくとも１つの弾性接続手段を含み、当該弾性接続手段が、前記シート（３０２）の側方タブ（３１２）の１つと前記各支持挿入体の末端固定／停止部分（３３１、３３２）と相互作用することで、前記シートの側縁に平行な底辺部分（３４５）と、側縁においてそれぞれ反対方向に傾斜し、傾斜部分に加えられる力を分解したときに関連する支持挿入体に対してそれぞれ反対方向の２つの垂直方向（３４９、３５０）の力を作用させる２つの部分（３４７、３４８）と、を有する三角形の形状をとる、情報表示装置支持体。
【請求項６】
前記弾性接続手段（３４４）が、前記支持挿入体（３１８）の末端固定／停止部分（３３１、３３２）に形成されたフック（３６１）に装着され、関連する側方タブ（３１２）の２つの切り込み（３２３）に受け取られ、
前記支持挿入体（３１８）のフック（３６１）と前記側方タブ（３１２）の切り込み（３２３）は、シート（３０２）を凸にするために前記弾性接続手段（３４４）によって作用される力の存在下で、前記支持挿入体の末端固定／停止部分（３３１、３３２）と関連する側方タブ（３１２）とが、覆いが開始される領域（３７１、３７２）において一列になった時に、前記弾性接続手段（３４４）の各傾斜部分（３４７、３４８）が前記領域（３７１、３７２）のそれぞれを通るように位置合わせされている、請求項５記載の情報表示装置支持体。
【請求項７】
各支持挿入体（３１８）の末端固定／停止部分（３３１、３３２）が、前記シート（３０２）の側縁（３０８）に平行な側縁（３２９）を有し、当該側縁（３２９）には、２つの停止領域（３７１、３７２）を形成する引っかかり防止用の切り欠き（３３９、３４０）がある、請求項５、６いずれか１項に記載の情報表示装置支持体。
【請求項８】
支持挿入体（３１８）の各フック（３６１）が、この目的のために形作られた切り抜き（３６０）を切り欠くことで形成される、請求項５、６、７いずれか１項に記載の情報表示装置支持体。
【発明の詳細な説明】
【技術分野】
【０００１】
本発明は、ＰＳＡとして知られている販売場所でのコミュニケーションや視覚的広告のために情報を支持する表示装置の分野に関する。本発明の表示装置はコラム状になっており、折り畳み可能で、ほぼ自動的に広げることができ、良好な状態で搬送や保存できる一方で、現場に非常に迅速に設置可能であるという利点を有する。
【背景技術および発明が解決しようとする課題】
【０００２】
より具体的には、本発明は少なくとも１つの表示面を有する情報表示装置支持体（information display unit support）に関し、この情報表示装置支持体は、表示面を有し実質的に剛性の折り畳み可能な材料からなる少なくとも１枚のシートと、このシートの表示面を凸にするための弾性戻り／制約手段と、弾性制約手段に対抗してシートの表示面の凸状態を維持し、シートの表示面に沿って離散して分配された作用を有する複数の挿入体と、を含む。
【０００３】
折り返された状態から始めてこの支持体を広げ始めるだけで、制約手段の作用によって自動的に完全に広げることができる。もちろん、反対に支持体の折り畳みは制約手段の作用に抗して実行する。
【０００４】
こういった表示支持体が、ＦＲ２，８２４，９４６号に開示されている。
【０００５】
この支持体では、保持バンドまたは挿入体が、表示面を凸状態にする、シートまたはパネルの２つの側縁の間の距離よりも狭い長さを有する。
【０００６】
ゴムバンドを一方では挿入体の末端固定／停止部分に固定し、他方では停止縁、即ち表示面のシートを横方向に延ばしたタブに固定するために、この従来技術の文献では、ゴムバンドを通し保持するためのフラップを設けることも提案されている。
【０００７】
ゴムバンドをフラップへとスライドさせることが難しいという欠点に加えて、こういったフラップによって挿入体の末端部分が硬くなってしまい、相対的に言って挿入体の残りの部分がもろくなり、曲がってしまう危険性が伴う。
【０００８】
したがってどんな場合でも、挿入体の長さが短いために、この装置が展開された状態のときに挿入体を正確な高さまたは水平位置に維持することに関する問題は依然として重要である。この問題は、複数の分離された基本挿入体が存在することに直接関係している。
【０００９】
したがって、本出願人が解決しようとしたのがこの問題である。ここで、本出願人は、既にある解決策に戻り、ＦＲ２，７６０，８８０号に記載されているさらに前の装置支持体の開発に至ったアイディアの１つをもう一度取り上げることにした。この文献では、表示面のフロントパネルに沿って広がり、これに対向する単一の背面支持パネルが、その側縁において、表示面のフロントパネルと側方タブとによって形成された２面角に支持されている。
【発明の開示】
【課題を解決するための手段】
【００１０】
したがって本発明は、上で特定した種類の表示装置に関し、弾性制約手段に対抗する支持挿入体の長さが、凸状態のシートの２つの側縁間の距離に等しく、このシートは、支持挿入体を受け取るための左右２組の２面角を形成するための左右２組の側方タブによって、表示面を超えて延出されており、弾性手段は、支持挿入体および側方タブと相互作用し、水平方向の制約力のほかに互いに反対方向の垂直方向の力を加え、表示面が凸状態のときに支持挿入体を正確な高さに維持するように構成される。
【００１１】
したがって、この新しい発明を提案するために、ＦＲ２，８２４，９４６号の教示に基づいて、まず以前の概念に戻り、そして支持挿入体、シートの表示面の側方タブ、制約用の弾性バンド（ゴムバンド）の相互作用に関する具体的なデザインを開発した。これが、進歩性の証拠となる。
【００１２】
好ましくは、各支持挿入体に関連する弾性手段は、それ自体閉じられた少なくとも１つの弾性接続手段を含む。この弾性接続手段は、シートの側方タブの１つと支持挿入体の末端固定／停止部分と相互作用することで、シートの側縁に平行な２つの底辺部分と、側縁においてそれぞれ反対方向に傾斜し、傾斜部分に加えられる力を分解したときに関連する支持挿入体に対してそれぞれ反対方向の２つの垂直方向の力を作用させる２つの部分とを有する台形の形状をとる。
【００１３】
弾性接続手段が、支持挿入体の末端固定／停止部分にある２つのほぼ直線状の傾斜した切り込みで受け取られ、この切込みが、側方タブと支持挿入体の末端固定／停止部分との相対的な位置合わせをもたらすように作用し、また弾性接続手段のフックとして作用するのがよい。
【００１４】
また、支持挿入体の末端固定／停止部分がシートの側縁に平行な縁を有し、この縁から、側方タブと支持挿入体の末端固定／停止部分との間の引っかかりを防ぐ円形切り欠きが形成されるのがよい。
【００１５】
したがって、この弾性接続手段によって側方タブがわずかに湾曲したときに、曲線切り欠きの縁がガイドとして作用し、弾性接続手段によって接合されたこの装置の２つの支持部分の間の引っかかりを防ぐ。
【００１６】
支持挿入体の好適な実施形態では、その直線切り込みがそれぞれ、シートの側縁に垂直で互いの延出部分までは延びていない支持挿入体の２つの縁をつなげている。
【００１７】
本発明の表示装置支持体は、それぞれが表示面を有する少なくとも２枚のシートを有することができ、支持挿入体が２つの末端固定／停止部分を含む。
【００１８】
支持挿入体はそれぞれ、表示装置が１つの表示面を有するのかそれともそれより多くの表示面を有するのかに関わらず、その末端固定／停止部分に向かい合って、単一のシートの側方タブ、または弾性戻り／制約接続手段によって互いに連結される複数のシートの複数の側方タブ、にヒンジ装着される末端部分を有する。
【００１９】
本発明の表示装置の別の実施形態では、各支持挿入体が矩形で、単一の弾性接続手段に関連する。この弾性接続手段は、それ自体閉じられていて、十字になるように折り返し可能で、シートの側縁にほぼ沿って伸びる２つの側方部分と、側方部分の端部をつなげる十字の形の２つの対角線部分とを有する。弾性接続手段は、シートの側縁に垂直な支持挿入体の縁が実際には弾性接続手段の対角線部分上で支持されるように側方タブに固定され、そうすることで支持挿入体が正確な高さを維持できる。
【００２０】
好ましくは、シートの側方タブは基本部分に分割される。この基本部分は互いに離間し、対応する支持挿入体に関連し、支持挿入体の高さよりも高い。弾性接続手段は、シートと側方タブの基本部分との間の２平面に沿って形成された切り込みに固定される。
【００２１】
特定の実施形態では、それぞれが表示面を有し、弾性接続手段によって支持挿入体の片側に対して対で押圧される２つの側方タブによって延出されている、少なくとも２枚のシートを提供することができる。
【００２２】
上述のように、本出願人は、シートの側方タブと支持挿入体との引っかかりを回避することに配慮した。
【００２３】
同じ目的のために、本出願人は、支持挿入体が第１の層の形態で延出し、シートの側方タブが第２の層の形態で延出するさらに別の実施形態において、弾性制約手段が支持挿入体と側方タブの２つの層の間に介在する第３の層の形態で伸びることを提案している。
【００２４】
好ましくは、各支持挿入体に関連する弾性手段が、それ自体閉じられた少なくとも１つの弾性接続手段を含み、この弾性接続手段が、平面の側方タブの１つおよび支持挿入体の末端固定／停止部分と相互作用することで、平面の側縁に平行な１つの底辺部分と、この側縁において互いに反対方向に傾斜し、この傾斜部分に加えられる力を分解したときに関連する支持挿入体に対して互いに反対方向の２つの垂直方向の力を作用させる２つの部分とを有する三角形の形状をとる。
【００２５】
ここでは、弾性接続手段が支持挿入体の末端固定／停止部分に形成されたフックに装着され、関連する側方タブの２つの切り込みに受け取られるのがよく、支持挿入体のフックと側方タブの切り込みは、シートを凸にするために弾性接続手段によって作用する力の存在下で、支持挿入体の末端固定／停止部分と関連する側方タブが、覆いが開始される領域において互いに一列になったときに、弾性接続手段の傾斜部分がそれぞれこの領域を通るように位置合わせされる。
【００２６】
好ましくは、各支持挿入体の末端固定／停止部分がシートの側縁に平行な側縁を有し、この側縁には、２つの停止領域を形成する引っかかり防止用切り欠きがある。
【００２７】
好ましくは、各支持挿入体のフックは、この目的のために形作られた切り抜きを切り欠くことによって形成される。
【００２８】
添付図面を参照し、また表示装置支持体の４つの有用な実施形態の以下の説明によって、本発明をより明確に理解できるであろう。
【発明を実施するための最良の形態】
【００２９】
図１を参照すると、表示装置支持体１はシート２を有する。このシートは、表示面３を有し、実質的に剛性の材料、ここではボール紙からなり、シートの上縁６と下縁７に平行な２本の中間線４、５に沿って折り畳み可能である。
【００３０】
シート２は２つの側縁８、９を有し、これらの側縁は、支持体を展開しない状態では上縁６と下縁７に垂直であり、また図１に示すように支持体を展開した状態では、上下縁が広がる平面に垂直である。シートが側縁８、９を越えて凸状のとき、このシート２は２つの側方タブ１０、１１によって延出されている。この側方タブをそれぞれ切り欠いて基本タブ部分を離し、ここでは３つ、即ち１２、１３、１４と１５、１６、１７が折り線４、５の両側で互いに離間しており、支持挿入体１８、１９、２０のそれぞれに関連している。
【００３１】
基本タブ部分１２〜１７はそれぞれ、支持挿入体１８〜２０を受け取るために２面角を形成する。
【００３２】
同じことが他にも当てはまるので、１つの基本タブ部分１２のみについて考えると、基本タブ部分の横縁２１、２２の近くに曲線の切り込み２３が形成されている。この切り込みは対応する縁２２に向かって傾斜しており、以下に説明する弾性接続手段を受け取るための小穴２４で終結している。１つの基本タブ部分の２つの小穴は、下側末端挿入部２０の場合を除いて、支持挿入体１８、１９の幅よりも広い距離だけ離間している。
【００３３】
基本タブ部分１２、１５の上縁２５は、下側基本タブ部分１４、１７の下縁２６と同様に、シート２の側縁８、９に垂直である。反対に、上側基本タブ部分１２、１５の下縁２７と、ここでは１つの中間タブ部分１３、１６の２つの横縁２１、２２と、下側タブ部分１４、１７の上側横縁２８、を切り欠いて、支持体を折り畳んで展開しないようにするために斜角を作る。
【００３４】
ここではボール紙からなる支持挿入体１８〜２０は、ほぼ矩形状である。長さは、図１に示すような凸の状態で、シート２の２つの側縁８、９を隔てる距離に等しい。シート２の側縁に平行な支持挿入体の側縁２９、３０は、シート２と基本タブ部分１２〜１７によって形成された２面角に位置しており、シート２の側縁８、９の内側に支持されている。
【００３５】
支持挿入体１８〜２０はそれぞれ、２つの末端固定／停止部分３１、３２を有する。これらの部分は、側縁２９、３０から、この縁に向かって傾斜する２つの直線の切り込み３３、３４へと広がり、以下に説明する弾性接続手段を受け取る。こういった末端固定／停止部分３１、３２の幅は、挿入体の中央部分の幅よりも狭い。
【００３６】
換言すると、切り込み３３、３４はそれぞれ、シート２の側縁８、９、言い換えれば挿入体の側縁２９、３０に垂直で、互いの延出部分までは延びていない挿入体の２つの縁３５、３６と３７、３８につながっている。
【００３７】
２つの挿入体１８、１９は同一で、それぞれの末端部分には、側縁２９、３０から円形の切り欠きみ３９、４０が形成されており、この切り欠きの機能は、基本タブ部分とこれに対応する挿入体の末端部分との引っかかりを防止することである。弾性バンド（ゴムバンド）４４によって基本タブ部分１２がわずかに凸になると、ある一定の深さが生じる。もしも挿入体の側縁にこの円形の切り欠きがなければ、タブ部分が狭い場合に引っかかりのリスクが明らかに高くなるであろう。
【００３８】
地面付近に配置することを目的としているために支持脚４１を有する、最後の下側挿入体２０は、他の挿入体よりも幅が広く、下側横帯４２を有する。この下側横帯は、最後の基本タブ部分１４、１７の下側曲線切り込み３４の下へと広がり、幅の広いネック部分４３によって直線切り込みの内縁に連結している。
【００３９】
基本タブ部分１２〜１７はそれぞれ、それ自体閉じられた弾性接続手段４４、即ち弾性バンド（ゴムバンド）によって挿入体の末端固定／停止部分３１、３２に接続する。この弾性接続手段は、一方では曲線切り込み２３へとスライドした後にタブ部分の小穴２４に受け取られ、他方ではフックとして作用する挿入体の末端部分の直線切り込み３３、３４に受け取られる。したがってゴムバンド４４はそれぞれ台形の形状をとり、この台形はシート２の側縁８、９に平行な２つの底辺部分４５、４６を有し、その一方の外側部分４５はタブ部分の外側にあって図１で見えており、これより短く挿入体の内側にある他方の内側部分４６は図１では見えないため破線で示されている。さらに台形は２つの部分４７、４８を有し、これらの部分は側縁において互いに反対方向に傾斜し、タブ部分と挿入体との間をスライドする。ゴムバンドのこういった傾斜部分４７、４８にかかる弾性力を分解すると、ゴムバンドは挿入体とシートのタブ部分と相互作用し、タブ部分から、挿入体に対して外側に向かう直交する方向の（水平方向の）力を加えて、側縁２９、３０がシートとタブ部分との間の２平面が交わって形成されている部分の内方の角８、９に当たるように、末端部分を２面角内へと引っ張るだけでなく、反対方向４９、５０の２つの垂直方向の力も加えるため、今話題にしている支持挿入体のフック３３、３４によって、正確な高さ、言い換えれば支持体を展開した状態のときに水平位置に維持できる。凸状態の表示面３はこのようにしてゴムバンド４４によって制約される。こうして、タブ部分と挿入体の末端部分との相対的な位置合わせが行われる。
【００４０】
支持挿入体１８〜２０が、戻りおよび制約力と呼ばれるゴムバンド４４に対抗する力を作用させることに注目されたい。この力は、シート２とその表示面３に沿って離散して分配されるようにして作用される。
【００４１】
図２の表示装置支持体１０１の実施形態は前述の実施形態に似ているが、より単純である。したがって対応する要素は、参照番号に１００を加えた状態で図１同様に参照される。
【００４２】
この支持体もまた、表示面１０３を伴うシート１０２と、ここでは矩形状で、側縁１０８、１０９を越えて延出し、互いに離間した基本タブ部分１１２〜１１７と、以下に明らかになる理由から最後の１つ１２０を除けば全て矩形の支持挿入体１１８〜１２０とを有する。また、この挿入体の長さも、展開した状態のシートの２つの側縁を隔てる距離に等しい。挿入体の幅は、ここでは基本タブ部分の長さ（高さ）よりも明らかに狭い。
【００４３】
基本タブ部分はその横縁付近にある２つの端部１７０、１７１で切られて、それぞれがシートに対してなす２平面の角に沿って直線の切り込み１２３を形成し、この切り込みは、弾性接続手段を受け取るための小穴１２４で終結している。
【００４４】
各支持挿入体は、それ自体閉じられていて十字をなすために折り返される単一の弾性接続手段１４４によって定位置に保持されている。各挿入体は、図２に示すようにシート１０２の裏面１８０と、その側縁が２面角内に支持されている２つの基本タブ部分との間に挿入されている。対応する４つの小穴１２４で受け取られる各ゴムバンド１４４は、シートとタブ部分の間では、シート１０２の側縁にほぼ沿って伸びる２つの側方部分１６０、１６１の形態で伸び、そして側方部分の端部をつなげる十字をなす対角線部分１６２、１６３の形態で伸びている。この対角線部分は、基本タブ部分の端部１７０、１７１の後ろを通過し、そして図２から分かるように挿入体の正面では、図２に破線で示すようにシートの裏面１８０と挿入体の間を通過する。したがって、該当する４つの小穴によって２つの基本タブ部分に固定される各ゴムバンド１４４は、シートの側縁１０８、１０９に垂直な縁１３５、１３７がゴムバンドの対角線部分１６２、１６３に支持される、関連する挿入体に対する位置合わせ停止手段として作用する。したがって、支持挿入体は正確な高さで水平位置を維持できる。
【００４５】
ゴムバンドの対角線部分にかかる弾性力を、互いに反対方向の垂直方向の力に分解することでも、位置合わせを実現できることに注目されたい。
【００４６】
最後の下側挿入体１２０については、２つの下側側端部に、関連するゴムバンドの対角線部分１６２、１６３を通すための２つの大きな曲線状切り欠き１７０、１７１を有する。これは、この挿入体を、その下縁１８０と、上縁１０６の反対側にあるシート１０２の下縁１０７とによって地面に置く必要があるためである。支持脚１４１がこの挿入体に固定される。
図１の支持体と同様に、支持体１０１もゴムバンド１４４の作用に対抗して折り線１０４、１０５で折り畳むことができる。
【００４７】
ここまで、それぞれ単一の表示面と単一のシートを有する表示装置支持体の２つの実施形態について説明してきた。しかしながら本発明の表示装置支持体は、２つまたはそれより多くの表示面やシートを有することができる。
【００４８】
したがって、図３を参照すると、表示装置支持体２０１は２枚のシート２０２、２０２’を有し、これらのシートは図２のシートと同一で、基本タブ部分２１２．．．２１５と２１５’．．．２１２’それぞれによって裏同士が接合される。これまでの場合と同様に、類似の要素は他の２枚の図面と同じ参照番号を有するが、ダッシュ記号の付加の有無に関わらず番号に２００が加えられている。したがって図３はシート２０２、２０２’を示し、一方のシート２０２’はその裏面２０８’が示されており、他方のシート２０２はその表示面２０３が示されている。
【００４９】
基本タブ部分には、それぞれが同じ小穴２２４で終結する同じ直線切り込み２２３が２平面の角に沿って形成されている。
【００５０】
その一方で、支持体２０１には１セットの支持挿入体２１８しかない。対で接合される基本タブ部分はそれぞれ、側方部分２６０、２６１と対角線部分２６２、２６３を有する同じ弾性接続手段２４４によって挿入体２１８の片側に対して押圧される。ここでは、挿入体がシート（ここではシート２０２）とその中間タブ部分との間に形成された２面角の単一のセットのみで受け取られることが分かる。しかし２枚のシートのタブ部分が対で接合されているために、この構成は、機能上以下と同等である。つまり、挿入体が他方のシート２０２’とその基本タブ部分２１２’．．．２１５’との間に形成された２面角で同じように受け取られていることになる。
【００５１】
弾性接続手段２４４は、２枚のシートの小穴２２４の対を通る。図３に示す場合では、ゴムバンド２４４の側方要素２６０、２６１は、シート２０２の裏面を向いた挿入体２１８の面におおよそ沿って伸びる。対角線要素２６２、２６３の中央部分も同様である。その末端部分２９２、２９３は小穴２２４まで伸び、そしてシート２０２’の裏面２８０’を向いた、他方のシート２０２’の基本タブ部分２１２’．．．２１５’の面に沿って伸びる。したがって、挿入体とタブ部分にわたって交差させることによって、ゴムバンドの対角線要素が、挿入体とタブ部分とによって形成された角度のレベルで、挿入体とタブ部分によって形成されたアセンブリの片側からもう片方の側へと通ることで、挿入体の横縁２３６に対する支持要素がもたらされ、水平位置において正確な高さを維持できる。
【００５２】
図４〜６の表示装置支持体３０１の実施形態は、図１の実施形態に似ている。したがって対応する要素は、番号に２００を加えた状態で図１同様に参照する。表示装置支持体３０１は、上縁３０６と下縁との間に広がる単一のシート３０２と、縁３０８を含めた、上縁と下縁の２つに垂直な２つの側縁とを有する。この２つの側縁を超えて、シート３０２はタブ３１０を含めた２つの側方タブによって延出されている。各タブを切り欠いて、タブ３１２を含めた基本タブ部分を切り離す。この基本タブ部分は、直線３０４を含めた折り線の両側で互いに離間しており、挿入体３１８を含めた対応する支持挿入体に関連している。
【００５３】
各基本タブ部分３１２は、支持挿入体３１８を受け取るために２面角を形成する。
【００５４】
タブ部分の横縁３２２付近には、対応する縁３２２に向かって傾斜しており、以下に説明する弾性接続手段を受け取るための小穴３２４で終結する曲線の切り込み３２３が形成されている。１つの基本タブ部分の２つの小穴は、支持挿入体３１８の幅よりも広い距離だけ離間している。
【００５５】
図１の実施形態のように、中間タブ部分の２つの横縁を切り、支持体を折り畳んで展開しないようにするために斜角を作る。上側タブ部分の下縁と下側タブ部分の上縁も同様である。
【００５６】
ここでもボール紙からなる支持挿入体３１８は、ほぼ矩形状である。その長さは、図６に示すようにシート３０２が凸の状態でこのシートの２つの側縁３０８を隔てる距離に等しい。シートの側縁に平行な挿入体の側縁３２９、３３０は、シートとその基本タブ部分３１２によって形成された２面角内に位置し、シートの横縁３０８の内側に対して支持される。
【００５７】
支持挿入体３１８はそれぞれ、２つの末端固定／停止部分３３１、３３２を有する。この末端固定／停止部分は、側縁３２９、３３０から中央切り抜き３６０まで広がっている。この切り抜きは、適切な一般的形状、ここでは矩形で、関連する横縁３０８に対する小さなフック状ポイント３６１が形成されているため、以下に説明する弾性接続手段を受け取ることができる。
【００５８】
挿入体３１８はどれも同じで、その末端部分のそれぞれに、側縁３２９、３３０から円形切り欠き３３９、３４０が形成されており、その機能は、基本タブ部分とこれに対応する挿入体の末端部分との引っかかりを防ぐことである。しかしながら、この引っかかりが実際にはこの支持体の別の重要な特徴によって防がれていることが以下の文章から明らかになるであろう。
【００５９】
基本タブ部分３１２はそれぞれ、それ自体閉じている弾性接続手段３４４、即ちゴムバンドによって挿入体の末端固定／停止部分３３１、３３２に連結されており、このゴムバンドは、一方では曲線の切り込み３２３へとスライドした後にタブ部分の小穴３２４で受け取られ、他方では挿入体の末端部分の切り抜き３６０にあるフック３６１で受け取られる。したがってゴムバンド３４４はそれぞれ、シート３０２の側縁３０８に平行な底辺部分３４５と、こういった側縁からそれぞれ反対方向に傾斜し、タブ部分と挿入体との間をスライドする２つの部分３４７、３４８を有する三角形の形状をとる。こういったゴムバンドの傾斜部分３４７、３４８にかかる弾性力を分解すると、ゴムバンドは挿入体とシートのフラップ部分と相互作用し、フラップ部分から、挿入体に対して外側に向かう直交する方向の（水平方向の）力を加えて末端部分を２面角内へと引っ張り、側縁３２９、３３０をシートとフラップ部分との間の２平面の内方の角３０８に当てるだけでなく、話題にしている支持挿入体のフック３６１によってそれぞれ反対方向３４９、３５０の２つの垂直方向の力も加えるため、正確な高さ、即ち支持体が展開した状態で水平位置を保つことができる。凸状態の表示面３０３はこうしてゴムバンド３４４によって制約される。タブ部分と挿入体の末端部分との相対的な位置合わせがこうして確保できる。
【００６０】
支持挿入体３１８は、戻りおよび制約力と呼ばれる、ゴムバンド３４４の力とは反対方向の力を作用させる。こういった力は、シート３０２とその表示面３０３に沿って離散して分配された状態で加えられる。
【００６１】
以下の特徴、まずはその１つによって、表示装置支持体を展開したときのタブと挿入部との引っかかりを、完全に防ぐことができる。
【００６２】
支持挿入体３１８は、実質上第１の平坦な層の形態で延びている。側方タブ３１２は、その一部が第２の平坦な層の形態で延びている。ゴムバンド３４４を、挿入体のフック３６１と側方タブの切り込み３２３に装着することで、ゴムバンドの傾斜部分３４７、３４８が側方タブの正面、即ちタブとシート３０２の裏面との間を伸び、さらに挿入体３１８の背後へと伸びる。即ち、ゴムバンドは、タブ３１２の層と挿入体３１８の層との間に介在する第３の層の形態で伸びている。
【００６３】
切り欠き３３９、３４０によって、挿入体３１８の末端固定／停止部分３３１の側縁３２９がおおよそ２つの末端停止部分３７１、３７２に減らされる。側方タブ３１２の切り込み３２３にある小穴３２４の間隔と、挿入体３１８のフック３６１の位置合わせは、次のように決められる。即ち、シート３０２を凸にするためにゴムバンド３４４により作用する力の存在下で、図５に示すようにタブ３１２の縁部分３７１、３７２がタブ３１２の内方側縁３７３と位置合わせされたときに、ゴムバンド３４４の傾斜部分３４７、３４８がこういった縁部分を越えてタブと挿入体との間を通るようにされる。そうすることで、最終的に引っ掛かりが確実になくなる。
【００６４】
もちろん、表示面とタブ部分を有するシートを倍にして、図４〜６の実施形態を変更することができる。ゴムバンドは単一のタブ部分でなく互いに接合された２枚のシートの２つの部分に装着されるが、ゴムバンドの傾斜部分３４７、３４８は依然として単一の関連する挿入体とタブ部分の接合対との間を伸びると思われるため、上述の特徴を十分に維持できる。
【００６５】
他の３つの前述の実施形態に関して示したあらゆる種々の実施形態も、この第４の実施形態に基づいて構想することができる。
【図面の簡単な説明】
【００６６】
【図１】単一のシートを有し、展開した状態の、本発明の表示装置支持体の第１の実施形態の背面からの斜視図である。
【図２】単一のシートを有し、展開した状態の、本発明の表示装置支持体の第２の実施形態の背面からの斜視図である。
【図３】２枚のシートを有する、本発明の表示装置支持体の第３の実施形態の上部分の上から見た斜視図である。
【図４】単一のシートを有し、このシートが凸ではなく平坦な状態の、支持体の第４の実施形態の一部の背面図である。
【図５】図４に似ているが支持体の展開途中の図である。
【図６】図４に似ているがシートが凸状態の図である。
【図１】
0004819817.tif 000002
【図２】
0004819817.tif 000003
【図３】
0004819817.tif 000004
【図４】
0004819817.tif 000005
【図５】
0004819817.tif 000006
【図６】
0004819817.tif 000007